(57)【特許請求の範囲】
【請求項１】
監視センターで動作監視される中継送信装置が、放送局のスタジオ装置から放送電波を送信する放送送信装置に向けて出力されるデジタル放送番組信号を、無線電波に変換して前記スタジオ装置と前記放送送信装置との間で中継送受信する無線中継システムにおいて、
前記中継受信する無線電波をベースバンドのデジタル放送番組信号に復調して出力する復調手段と、
前記復調されたデジタル放送番組信号のＡＣ（Ａｕｘｉｌｉａｒｙ
Ｃｈａｎｎｅｌ）フィールドに書かれているモニタデータに自装置の動作状態の監視情報を追加編集して前記監視センターへ通知する新たなモニタデータを含む新たなデジタル放送番組信号を生成し、自装置に前記放送送信装置が接続されている場合には、その放送送信装置へ前記新たなモニタデータを含む新たなデジタル放送番組信号を出力し、自装置に次の送信先へ中継送信する送信手段を備えている場合には、その送信手段へ前記新たなデジタル放送番組信号を出力するモニタ・多重手段と、
前記モニタ・多重手段から入力される前記新たなデジタル放送番組信号を無線電波に変換して次の中継送信先へ中継送信する送信手段とを
備える中継送信装置と、
前記中継送信装置に接続され、接続される中継送信装置から入力される前記新たなデジタル放送番組信号を前記放送電波にして送信する放送送信装置と、
前記放送送信装置が送信した放送電波を受信し、その放送電波のデジタル放送番組信号の前記ＡＣに書かれているモニタデータを読み出して前記スタジオ装置と前記放送送信装置との間でデジタル放送番組信号を前記中継送受信する前記中継送信装置を監視する監視センターとを
具備することを特徴とする無線中継システム。
【請求項２】
前記中継送信装置は、
前記復調された前記デジタル放送番組信号に前記書かれていたモニタデータと、自装置の前記監視情報とを予め記憶した判断基準と照合することにより自装置に接続された前記放送送信装置が送信継続するか、又は送信中止するかを制御する制御手段を更に備える
ことを特徴とする請求項１記載の無線中継システム。
【請求項３】
監視センターと、中継送信装置と、放送送信装置とを備え、
前記監視センターで監視される前記中継送信装置が、放送局のスタジオ装置から放送電波を送信する前記放送送信装置に向けて出力されるデジタル放送番組信号を、無線電波に変換して前記スタジオ装置と前記放送送信装置との間で中継送受信する無線中継システムの中継監視方法において、
前記中継送信装置は、
前記中継受信する無線電波をベースバンドのデジタル放送番組信号に復調し、
前記復調されたデジタル放送番組信号のＡＣ（Ａｕｘｉｌｉａｒｙ
Ｃｈａｎｎｅｌ）フィールドに書かれているモニタデータと自装置の状態の監視情報とを編集し、前記監視センターへ通知する新たなモニタデータを含む新たなデジタル放送番組信号を生成し、
次の中継送信先の中継送信装置へ無線電波に再変換して中継送信するか、又は、および自装置に前記放送送信装置が接続されている場合にはその放送送信装置へ新たなデジタル放送番組信号を出力し、
前記中継送信装置に接続される前記放送送信装置は、
前記入力される新たなデジタル放送番組信号を前記放送電波にして送信し、
前記監視センターは、前記放送送信装置が送信した放送電波を受信し、
受信した放送電波のデジタル放送番組信号の前記ＡＣに書かれているモニタデータを読み出して、前記中継送受信する前記中継送信装置を監視することを
特徴とする無線中継システムの中継監視方法。
【請求項４】
前記中継送信装置は、
前記復調された前記デジタル放送番組信号に前記書かれていたモニタデータと、自装置の前記監視情報とを予め記憶した判断基準と照合することにより自装置に接続された前記放送送信装置が送信継続するか、又は送信中止するかを制御する
ことを特徴とする請求項３記載の無線中継システムの中継監視方法。
【発明の詳細な説明】
【技術分野】
【０００１】
本発明は、地上波デジタル放送等の番組信号を中継する無線リンクの無線中継システム、及び中継監視方法に関する。
【背景技術】
【０００２】
従来、地上波テレビ放送の放送局では、放送局のスタジオから遠方にある送信所まで、
番組放送信号を中継する手段の１つに、ＳＴＬ（Ｓｔｕｄｉｏ  と  Ｔｒａｎｓｍｉｔｔ
ｅｒ  Ｌｉｎｋ）、またはＴＴＬ（Ｔｒａｎｓｍｉｔｔｅｒ  ｔｏ  Ｔｒａｎｓｍｉｔｔ
ｅｒ  Ｌｉｎｋ）リンクと呼ばれるマイクロ波の無線中継リンクが用いられている。更に
近年では、地上波デジタル放送が始まり、不感試聴地域を無くすため、多段の無線中継リ
ンクを構成し、その途中にある中継送信所から中継伝送と同時にその周辺の視聴者へ放送
電波を送信する形態も生れている。
【０００３】
地上波デジタル放送では、マイクロ波で中継される番組放送信号の伝送品質を保つため
に、スタジオから中継される番組放送信号の伝送品質の試験情報を送信所へ向けてモニタ
用の地上回線で送信し、送信所での試験結果の情報を地上回線による“戻り回線”で放送
局側へ送り返して放送電波の品質や各中継送信所の動作状態を監視する等の方法が取られ
ている（例えば、特許文献１。）。
【０００４】
しかし、従来の地上回線等のモニタ回線や戻り回線を用いる方法は、中継送信所が山頂
等にあり地上回線の設置が出来ない場合、特に中継送信所が多段にわたり設けられている
場合、その地上回線が設置できない中継送信所の監視情報はスキップされるので途中の中
継送信所での信号品質が確認できない問題が有った。
【０００５】
地上回線が設置できない場合、それに代わるＳＴＬ、またはＴＴＬリンクと平行する別
周波数チャネルのモニタ用無線リンクを設けても良いが、電波割当不足、または装置コス
トがかかる問題がある。
【特許文献１】特開２００２−２９０３５８号公報  （第９頁、第１図）
【発明の開示】
【発明が解決しようとする課題】
【０００６】
従来の放送局の無線中継リンクの監視情報を地上回線等のモニタ回線や戻り回線で伝送
する方法は、中継送信所が山頂等にあり地上回線の設置が困難な場合では、その中継送信
所の監視情報が取得できない。特に中継送信所が多段にわたり設けられている場合、途中
の中継送信所毎の信号品質が確認できない問題が有った。
【０００７】
本発明は上記問題を解決するためになされたもので、中継送信所毎にモニタ用回線を設けることなく、中継送信所毎の監視情報が伝送可能な無線中継システムと、中継監視方法とを提供することを目的とする。
【課題を解決するための手段】
【０００８】
上記目的を達成するために、本発明の無線中継システムは、監視センターで動作監視される中継送信装置が、放送局のスタジオ装置から放送電波を送信する放送送信装置に向けて出力されるデジタル放送番組信号を、無線電波に変換して前記スタジオ装置と前記放送送信装置との間で中継送受信する無線中継システムにおいて、前記中継受信する無線電波をベースバンドのデジタル放送番組信号に復調して出力する復調手段と、前記復調されたデジタル放送番組信号のＡＣ（Ａｕｘｉｌｉａｒｙ  Ｃｈａｎｎｅｌ）フィールドに書かれているモニタデータに自装置の動作状態の監視情報を追加編集して前記監視センターへ通知する新たなモニタデータを含む新たなデジタル放送番組信号を生成し、自装置に前記放送送信装置が接続されている場合には、その放送送信装置へ前記新たなモニタデータを含む新たなデジタル放送番組信号を出力し、自装置に次の送信先へ中継送信する送信手段を備えている場合には、その送信手段へ前記新たなデジタル放送番組信号を出力するモニタ・多重手段と、前記モニタ・多重手段から入力される前記新たなデジタル放送番組信号を無線電波に変換して次の中継送信先へ中継送信する送信手段とを備える中継送信装置と、前記中継送信装置に接続され、接続される中継送信装置から入力される前記新たなデジタル放送番組信号を前記放送電波にして送信する放送送信装置と、前記放送送信装置が送信した放送電波を受信し、その放送電波のデジタル放送番組信号の前記ＡＣに書かれているモニタデータを読み出して前記スタジオ装置と前記放送送信装置との間でデジタル放送番組信号を前記中継送受信する前記中継送信装置を監視する監視センターとを具備することを特徴とする。
【０００９】
また本発明の無線中継システムの中継監視方法は、監視センターと、中継送信装置と、放送送信装置とを備え、前記監視センターで監視される前記中継送信装置が、放送局のスタジオ装置から放送電波を送信する前記放送送信装置に向けて出力されるデジタル放送番組信号を、無線電波に変換して前記スタジオ装置と前記放送送信装置との間で中継送受信する無線中継システムの中継監視方法において、前記中継送信装置は、前記中継受信する無線電波をベースバンドのデジタル放送番組信号に復調し、前記復調されたデジタル放送番組信号のＡＣ（Ａｕｘｉｌｉａｒｙ  Ｃｈａｎｎｅｌ）フィールドに書かれているモニタデータと自装置の状態の監視情報とを編集し、前記監視センターへ通知する新たなモニタデータを含む新たなデジタル放送番組信号を生成し、次の中継送信先の中継送信装置へ無線電波に再変換して中継送信するか、又は、および自装置に前記放送送信装置が接続されている場合にはその放送送信装置へ新たなデジタル放送番組信号を出力し、前記中継送信装置に接続される前記放送送信装置は、前記入力される新たなデジタル放送番組信号を前記放送電波にして送信し、前記監視センターは、前記放送送信装置が送信した放送電波を受信し、受信した放送電波のデジタル放送番組信号の前記ＡＣに書かれているモニタデータを読み出して、前記中継送受信する前記中継送信装置を監視することを特徴とする。
【発明の効果】
【００１１】
本発明によれば、中継送信所毎にモニタ用回線を設けることなく、中継送信所毎の監視情報が伝送可能な無線中継システムと、中継監視方法とを提供することが出来る。
【発明を実施するための最良の形態】
【００１２】
以下、図面を参照して本発明の実施例を説明する。
【実施例】
【００１３】
図１は、本発明の実施例に係る中継監視システムの構成を示す系統図である。  
図１において中継監視システムは、スタジオ中継送信器１、スタジオ装置１１、中継送
信装置２ａ〜２ｎ（以下、必要の無い限り中継装置２と省略する。）、放送送信装置３ａ
〜３ｎ（以下必要の無い限り、放送送信装置３と証略する。）監視センター４とを備えて
いる。
【００１４】
中継システムは、スタジオ装置１２から入力されるＩＳＤＢ（Ｉｎｔｅｇｒａｔｅｄ  
Ｓｅｒｖｉｃｅ  Ｄｉｇｉｔａｌ  Ｂｒｏａｄｃａｓｔｉｎｇ）標準の地上波デジタル放
送のデジタル放送番組信号（以下、ＤＳ信号と称する。）をスタジオ中継送信器１が、マ
イクロ波（以下、中継波と称する。）で中継送信装置２ａへ向けて送信し、中継送信装置
２ａはさらに中継送信装置２ｂ…と順にリレー中継する。
【００１５】
そして、最終段の中継送信装置２ｎに設けられた放送送信装置３ｎから中継受信された
ＤＳ信号の放送電波が送信される。また、途中の、例えば、中継送信装置２ｂに放送送信
装置３ｂが設置され、放送送信器３ｂから放送電波が送信されることもある。
【００１６】
なお、スタジオ中継送信器１から中継送信装置２へ中継送信する場合、ＳＴＬ（Ｓｔｕ
ｄｉｏ  ｔｏ  Ｔｒａｎｓｍｉｔｔｅｒ  Ｌｉｎｋ）と呼ばれ、また中継送信装置２の間
、もしくは送信所との間で中継送信する場合ＴＴＬ（Ｔｒａｎｓｍｉｔｔｅｒ  ｔｏ  Ｔ
ｒａｎｓｍｉｔｔｅｒ）と呼ばれる。
【００１７】
本実施例の無線中継システムにおいてはスタジオ装置１２から中継送信装置２へ出力さ
れるＤＳ信号のＡＲＩＢ−ＳＴＤ  Ｂ３１に規定される補助データ設定用のフィールド、
ＡＣ（Ａｕｘｉｌｉａｒｙ  Ｃｈａｎｎｅｌ）フィールドにモニタ情報を書き込む。
【００１８】
中継送信装置２は、中継受信した電波の信号品質や自装置の動作監視データをデジタル
放送番組信号のＡＣフィールドに書き込みＴＳ（Ｔｒａｎｓｐｏｒｔ  Ｓｔｒｅａｍ）信
号と共にＤＳ信号を次段の中継送信装置２へ送信する。
【００１９】
放送送信装置３は、中継送信装置２から当該中継送信装置が受信したデジタル放送番組
信号のＡＣフィールドに当該中継送信装置のモニタ情報が追加して書き込まれて新たに生
成されたデジタル放送番組信号が入力される。そして、その新たなデジタル放送番組信号
を放送電波として送信するものである。
【００２０】
監視センター４は、放送送信装置３から送信された放送電波からＡＣフィールドに書き
込まれたモニタ情報を読み出すか、または、その放送送信装置３が接続される中継送信装
置２との間で接続される地上回線を介してその中継送信装置２から受信するＡＣフィール
ドのモニタ情報を読み出して、前記各中継送信装置の動作を監視する。
【００２１】
図２は、中継送信装置２の機能構成を示すブロック図である。  
図２において、中継送信装置２は、それぞれが内部バス等で接続された受信部２１、分
離部２２、モニタ部２３、多重部２４、送信部２５と、制御部２０とを備えている。また
、図１におけるスタジオ中継送信器１は、中継送信装置２の構成から受信部２１が無線受
信器ではなくスタジオから直接接続されていること、および分離部２２が取り除かれた以
外、以下の説明の中継送信装置２と同様の構成と動作をする。
【００２２】
受信部２１は、アンテナ２１１で受信した中継波をベースバンドのＤＳ信号に復調し、
分離部２２へ出力する。分離部２２は、ベースバンドのＤＳ信号を後述の図３で説明する
パケットフレームに分離する。
【００２３】
モニタ部２３は、中継送信装置２の各部位の動作データや、復調したＤＳ信号のパリテ
ィなどの信号品質等の監視情報を収集する。また、モニタ部２３には、分離部２２からＡ
Ｃフィールドに書かれていたモニタデータが入力され、更に自装置の監視情報との編集を
行って多重部２４へ向けて新たなモニタデータとして出力する。
【００２４】
なお、この自装置の監視情報は、モニタ部２３が内蔵する図示されないＢＩＴＥ（Ｂｕ
ｉｌｔ  Ｉｎ  Ｔｅｓｔ  Ｅｑｉｐｍｅｎｔ：自己診断装置）により、中継送信装置２の
各部のテストポイントから、例えば、バイアス電圧や、信号レベルなどの動作状態を示す
監視情報（データ）が収集され、収集された情報（データ）は内部バス等を介してモニタ
部２３へ入力される。
【００２５】
多重部２４は、分離部２２から出力されたＴＳ信号等のパケットフレームと、モニタ部
２３からの監視データとが入力され、新たなＤＳ信号に再多重して送信部２５へ出力する
。
【００２６】
送信部２５は、入力されたＤＳ信号を予め定められている次段の中継送信装置２へ向け
た中継伝送用の周波数の電波に変換してアンテナ２５１から送信するＴＴＬ（Ｔｒａｎｓ
ｍｉｔｔｅｒ  ｔｏ  Ｔｒａｎｓｍｉｔｔｅｒ）の送信器として動作する。
【００２７】
制御部２０は、受信部２１〜送信部２５の各部の動作を監視制御する。また、制御部２
０は、スイッチ、ダイヤルやディスプレイ素子等により入力および表示手段となる入出力
部２０１を備え中継送信装置２毎のＩＤ情報やモニタ、制御情報を設定又は表示するもの
である。なお、入出力部２０１は、このほか図示されない通信インタフェースにより接続
されるパーソナルコンピュータ等の携帯情報端末を利用するものであっても良い。
【００２８】
これらの入力、表示よって制御部２０が行う受信部２１〜送信部２５の制御処理動作の
手順は、予め制御部２０が内蔵する図示されない記憶手段により記憶される。
【００２９】
図１において、中継送信装置２ａが広範囲のカバーエリアを持つ放送電波の親送信所に
設置される場合、又は、中継送信装置２ｂが小カバーエリアの放送電波の子送信所に設置
される場合には、放送送信装置３ａ（又は、３ｂ）は、内部バス等を介して中継送信装置
２ａ（又は、３ｂ）の多重部２４に接続される。
【００３０】
そして、放送送信装置３ａ（又は、３ｂ）は、中継送信装置２ａ（又は、２ｂ）が受信
したＤＳ信号をＯＦＤＭ変調された放送電波に変換してアンテナ３１から送信する。
【００３１】
図３は、ＤＳ信号のフレームフォーマットを示す図である。  
図３において、ＤＳ信号は、地上デジタルテレビジョン放送（ＡＲＩＢ―ＳＴＤ−Ｂ３
１）で規定され、ビデオ信号であるＴＳ信号、伝送制御に係わる情報のＴＭＣＣ（Ｔｒａ
ｎｓｍｉｓｓｉｏｎ  Ｍｕｌｔｉｐｌｅｘｉｎｇ  Ｃｏｎｆｉｇｕｒａｔｉｏｎ  Ｃｏｎ
ｔｒｏｌ）信号、サービス情報のＳＣ（Ｓｅｒｖｉｃｅ  Ｃｈａｎｎｅｌ）信号、パリテ
ィ等からなる。
【００３２】
ＴＭＣＣ信号は、そのパケットの基本情報や、階層構造、パケットのカウンタであるＴ
ＳＰカウンタ、とＡＣ（補助データ：Ａｕｘｉｌｉａｒｙ  Ｃｈａｎｎｅｌ）等のビット
フレームから構成される。
【００３３】
ＡＣは、２バイトが割り当てられ、番組放送信号の制御以外にスタジオ機器等の制御モ
ニタ信号を伝送するために利用される補助データ用のパケットフレームであって放送事業
者によりデータが書込み、読出される。従来、番組放送信号を中継伝送する中継送信装置
２では、基本的にはＤＳ信号をそのままパケットとして再生中継し、ＡＣ記載内容につい
ての信号処理は行っていなかった。
【００３４】
次に、図１〜図３を参照して、本発明の実施例における中継送信システム及び中継送信
装置の動作と処理を説明する。
【００３５】
図１において、スタジオ中継送信装置１から送信されるＤＳ信号のパケットは、そのパ
ケットの伝送上の処理情報がＩＳＤＢ標準に従ってＴＭＣＣ信号に書き込まれている。し
かし、ここでは、理解を容易にするため、ＩＳＤＢ標準のＡＣ利用方法の細部には触れず
に、最初に中継送信されるＡＣには何も書き込まれず後段の中継送信装置２ａ〜２ｎで、
異常が発見され、書き込みが必要な場合のみ使用される場合を想定した単純なモデルにし
てＡＣの利用方法の説明を行う。
【００３６】
即ち、スタジオ装置１１からスタジオ中継送信装置１へＤＳ信号が入力され、必要であ
れば、後述の様に入力されたＤＳ信号のＡＣへスタジオ中継送信装置１のモニタデータが
書き込まれた新たなＤＳ信号が、所定のマイクロ波の中継電波に変調されてアンテナ２５
１から中継送信装置２ａへ向けて送信される。
【００３７】
中継送信装置２ａは、アンテナ２１１を介してＤＳ信号をスタジオ中継送信装置１から
受信する。中継送信装置２ａは、スタジオ中継送信装置１からのＤＳ信号を受信部２１で
受信後、分離部２２が、図３に示されるフィールドに分離し、分離した信号を内部バスに
出力する。
【００３８】
モニタ部２３は、例えば、ＴＭＣＣ信号中のパリティをチェックすると共に、自装置の
ＢＩＴＥ（自己診断）情報を監視している。そして、例えば、パリティが正常であるもの
のＢＩＴＥ情報に、例えば、受信レベル異常があることを見つけたとする。そしてモニタ
部２３は、受信レベル異常を示すモニタコード「００００」を内部バスに出力する。
【００３９】
内部バスを監視している制御部２０は、この「００００」を検出すると、多重部２４へ
、自装置のＩＤ情報である「００」をモニタコードの頭に付加した「００００００」を出
力する。
【００４０】
多重部２４は、ＡＣの先頭に「００００００」を書き込み、またＴＳ信号やパリティと
組み合わせたＤＳ信号に再多重して送信部２５および放送送信装置３へ出力する。送信部
２５は、所定の周波数と変調を行ったＤＳ信号をアンテナ２５１を介して次段の中継送信
部２ｂへ送信する。
【００４１】
なお、制御部２０は、例えば、受信部２１が受信し、モニタ部２３が確認したＤＳ信号
のパリティを調べる。そして、それが予め定めた信号品質を満たしていることを確認した
場合に受信したＤＳ信号を放送しても良いと判断してその再多重されたＤＳ信号を多重部
２４から放送送信装置３ａへ出力する。放送送信装置３ａは、所定のＤＳ信号に対する変
調等の処理を行った放送電波を生成し、生成した放送電波をアンテナ３１を介して近在の
聴取者向け送信（放送）する。
【００４２】
次に、中継送信装置２ｂで受信されたＤＳ信号は中継送信装置２ａと同様に分離され、
モニタ部２３ではＡＣに記載されたモニタデータが判読されると共に自装置のＢＩＴＥ情
報が調べられる。ＢＩＴＥ情報に異常がなければ、そのまま、ＡＣのデータがバスに再出
力される。もし、例えば、放送送信装置３ｂの送信出力に異常があるとすれば、自装置の
識別符号「０１」をその送信出力異常を示すコード「１１１１」の先頭に付加した「０１
１１１１」のモニタコードを生成する。
【００４３】
そして、モニタ部２３からは中継送信装置２ａの「００００００」に続けて、「０１１
１１１」のモニタコードが書き込まれたＡＣのデータがバスに出力される。多重部２４で
は、この更新されたＡＣとそのほかのＴＳ信号などを再多重して送信部２５から送信され
るのは、中継送信装置２ａと同様で、以下同様にして最終段の中継送信装置２ｎまで中継
送信が繰り返される。
【００４４】
この様に、各中継送信装置２での異常等のモニタデータがＡＣに記述して送信されてい
るので、監視センター４は、放送送信装置３が送信する放送電波を受信する等の後述のい
ずれかの方法により中継送信装置２で書き込まれたＡＣフィールドの内容を読み出せば、
各中継送信装置２でのモニタデータを取得することが可能になる。
【００４５】
なお、中継送信装置２ｂで放送送信装置３ｂが継続して放送を続けるか否かは、予め制
御部２０の記憶手段に記憶された処理手順によって決定される。即ち、制御部２０は、受
信したＤＳ信号のＡＣに書き込まれたモニタデータ、および自装置のＢＩＴＥ情報を制御
部２０の記憶手段に記憶された判断基準のデータと照合して、送信継続や送信中止など放
送送信装置３ｂの動作を制御する。
【００４６】
図４は、最終段の中継送信装置２ｎの構成を示す機能ブロック図である。  
最終段の中継送信装置２ｎでも中継送信装置２ａ、又は中継送信装置２ｂと同様に受信
したＤＳ信号は分離後、ＡＣがモニタ部２３により前段の中継送信装置２の動作、及び自
装置のＢＩＴＥ情報が調べられる。
【００４７】
図４において、中継送信装置２ｎは、図２に示される構成と異なり中継送信装置２ｎは
、後段の中継送信装置２が無いので送信部２５が無い。しかし、中継送信装置２ｎでは、
中継送信装置２ｂ等と同様にＡＣに記述された前段モニタ情報と自装置のＢＩＴＥ情報と
が繰り返し多重されたＤＳ信号が生成され、そのＤＳ信号から更に生成された放送電波が
放送送信装置３ｎから送信される。従って、この放送電波を受信出来る監視センター４で
は、受信したＤＳ信号からＡＣに記述されたモニタデータを読み出すことによりこの最終
段までの各中継送信装置２についてのモニタ情報を取得することが出来る。
【００４８】
また、中継送信装置２ｎには、地上回線との回線インタフェース２６が設けられ、監視
センター４との間が地上回線で接続されてもよい。そして多重部２４で前段のＡＣデータ
の内容と自装置のＢＩＴＥ情報が多重されたモニタ信号として読み出され、そのモニタ信
号は回線インタフェース２６と地上回線を介して監視センター４へ向けて送信される。
【００４９】
監視センター４では、地上回線を介して受信したモニタ信号を読み出すことにより各中
継送信装置２のモニタデータを取得出来る。
【００５０】
また、例えば、図５に示すように途中の中継送信装置２ａ、２ｂでは、送信部２５とイ
ンタフェース２６とを共に備える様にして自装置までのモニタ情報を放送電波に代わって
地上回線によって監視センターへ送信するようにしても良い。
【００５１】
なお、詳細な説明は省略したが、ＡＣフィールドに１回で全てのモニタ情報が記述しき
れない場合、ＡＣフィールドＴＭＣＣ信号の基本情報や階層情報を利用して複数のＡＣを
利用して情報を送信することがＩＳＤＢ標準には規定されており、それに従ってモニタ情
報を送信すればよい事は言うまでもない。
【００５２】
この様に本発明の実施例では、中継送信装置毎のモニタ情報を監視センターで取得する
ことが出来る。
【００５３】
また、本発明の実施例では、中継送信装置が３台以上で多段接続される場合を例に無線
中継システムの構成と動作および処理手順を説明したが、中継処理装置が２台のみの構成
で対向で動作する場合においても本発明が適用出来ることは言うまでもない。
【図面の簡単な説明】
【００５４】
【図１】本発明の実施例に係わる中継監視システムの構成を示す系統図。
【図２】本発明の実施例に係わる中継送信装置の機能構成を示すブロック図。
【図３】デジタル放送番組信号のフレームフォーマットを示す図。
【図４】最終段の中継送信装置の機能構成を示すブロック図。
【図５】途中段の中継送信装置の機能構成の１例を示すブロック図。
【符号の説明】
【００５５】
１  スタジオ中継送信器
１１  スタジオ装置
２  中継送信装置
２１  受信部
２１１  アンテナ
２２  分離部
２３  モニタ部
２４  多重部
２５  送信部
２０  制御部
２５１  アンテナ
３  放送送信装置
３１  アンテナ
４  監視センター
４１  アンテナ
【図１】
0004537926.tif 000002
【図２】
0004537926.tif 000003
【図３】
0004537926.tif 000004
【図４】
0004537926.tif 000005
【図５】
0004537926.tif 000006